(57)【特許請求の範囲】
【請求項１】
所定の送信条件で送信信号を送信する送信回路と、
前記送信信号を所定の受信条件で受信した受信結果と前記受信条件とを受信する受信回路と、
前記受信結果と前記受信条件とに基づいて、他の通信装置に前記受信条件を調整させる情報を、前記送信回路から前記他の通信装置に送信する調整回路と、
を有する通信装置。
【請求項２】
前記送信信号を前記所定の受信条件で受信する受信側の受信回路は、受信した信号の所定帯域に含まれる信号を増幅する増幅回路を含み、
前記調整回路は、前記受信条件を調整するための情報に、前記増幅回路を制御するための情報を含める、
ことを特徴とする請求項１記載の通信装置。
【請求項３】
前記送信回路は、前記送信条件に応じた振幅で前記送信信号を送信し、
前記受信回路が受信した受信結果には、前記所定条件で受信した信号の受信振幅が含まれ、
前記調整回路は、前記受信振幅と、前記送信信号の振幅に基づいて、前記振幅を調整する、
ことを特徴とする請求項１又は２に記載の通信装置。
【請求項４】
前記調整回路は、前記送信回路に設定されている第１の振幅値と、前記受信振幅値と、基準値とに基づいて第２の振幅値を算出し、前記第２の振幅値を前記送信回路に設定する、
ことを特徴とする請求項３記載の通信装置。
【請求項５】
前記調整回路は、前記受信振幅値を前記基準値と等しくするように、前記第２の振幅値を算出する、ことを特徴とする請求項４記載の通信装置。
【請求項６】
前記送信回路は、送信する信号の波形を整形する波形整形回路を含み、
前記調整回路は、前記受信結果に応じて、前記波形整形回路の動作状態を制御する、
ことを特徴とする請求項１〜５のうちの何れか一に記載の通信装置。
【請求項７】
前記調整回路は、受信側の通信装置と送信側の通信装置とが通信する速度を互いに設定するための速度コードを送信するステートの間に、前記送信信号及び前記受信条件を調整するための情報を送信する、ことを特徴とする請求項１〜６のうちの何れか一に記載の通信装置。
【請求項８】
前記送信回路は、所定の周期でトーン信号を送信し、
前記調整回路は、２つの前記トーン信号の間に前記速度コードと前記調整するための情報を送信する、ことを特徴とする請求項７記載の通信装置。
【請求項９】
互いに接続された第１及び第２の通信装置を含む通信システムであって、
前記第１の通信装置は、
所定の送信条件で送信信号を送信する第１の送信回路と、
前記送信信号を所定の受信条件で受信した受信結果と前記受信条件とを受信する第１の受信回路と、
前記受信結果と前記受信条件とに基づいて、前記第２の通信装置に前記受信条件を調整させる情報を、前記第１の送信回路から前記第２の通信装置に送信する第１の調整回路と、
を備え、
前記第２の通信装置は、
送信側から送信された送信信号を所定の受信条件で受信する第２の受信回路と、
前記第２の受信回路の受信結果と前記受信条件とを前記送信側に送信する第２の送信回路と、
前記受信結果と前記受信条件とに基づいて前記送信側から送信された通知に応答して前記第２の受信回路の受信条件を調整する第２の調整回路と、
を備える、通信システム。
【請求項１０】
送信回路から所定の送信条件で送信信号を送信し、
前記送信信号を所定の受信条件で受信した受信結果と前記受信条件とを受信回路にて受信し、
前記受信結果と前記受信条件とに基づいて、他の通信装置に前記受信条件を調整させる情報を、前記送信回路から前記他の通信装置に送信することを特徴とする通信方法。
【発明の詳細な説明】
【技術分野】
【０００１】
通信装置、通信システム、及び通信方法に関する。
【背景技術】
【０００２】
ネットワークは、ケーブルを介して互いに接続された複数の機器により構成される。例えば、ＩＥＥＥ１３９４．ｂ規格のネットワークに接続された機器は、複数の異なる転送速度モードのいずれか１つで動作可能である（例えば、特許文献１参照）。
【先行技術文献】
【特許文献】
【０００３】
【特許文献１】特開２００９−８８８９１号公報
【発明の概要】
【発明が解決しようとする課題】
【０００４】
ネットワークを形成する各機器に備えられた送受信回路は、規格のワースト条件においても安定した通信を行うように設計されている。このため、受信環境が良い場合、ワースト条件で設計された受信回路では、無用な電力が消費される。
【課題を解決するための手段】
【０００５】
本発明の一観点によれば、所定の送信条件で送信信号を送信する送信回路と、前記送信信号を所定の受信条件で受信した受信結果と前記受信条件とを受信する受信回路と、前記受信結果と前記受信条件とに基づいて、前記受信条件を調整するための情報を、前記送信回路に送信させる調整回路と、を有する。
【発明の効果】
【０００６】
本発明の一観点によれば、消費電力を低減することができる。
【図面の簡単な説明】
【０００７】
【図１】ネットワークを示すブロック図である。
【図２】通信装置のブロック図である。
【図３】調整回路のブロック図である。
【図４】ステートの遷移を示す説明図である。
【図５】（ａ）〜（ｃ）は、送受信される信号の説明図である。
【図６】（ａ）（ｂ）は、状態コードの説明図である。
【図７】第一実施形態の調整処理の概略フローチャートである。
【図８】ノード間の通信のタイミングを示すタイムチャートである。
【図９】（ａ），（ｂ）は、送信状態情報の説明図である。
【図１０】（ａ）〜（ｃ）は、受信状態情報の説明図である。
【図１１】第一実施形態の調整処理のフローチャートである。
【図１２】第一実施形態の調整処理のフローチャートである。
【図１３】第一実施形態の調整処理のフローチャートである。
【図１４】第二実施形態の調整処理のフローチャートである。
【図１５】第三実施形態の調整処理のフローチャートである。
【図１６】第四実施形態の調整処理の概略フローチャートである。
【図１７】第五実施形態の調整処理のフローチャートである。
【図１８】第五実施形態の調整処理のフローチャートである。
【図１９】第五実施形態の調整処理のフローチャートである。
【図２０】第五実施形態の調整処理のフローチャートである。
【発明を実施するための形態】
【０００８】
（第一実施形態）
以下、第一実施形態を図１〜図１６に従って説明する。
図１に示すように、所定の規格（例えば、ＩＥＥＥ１３９４．ｂ規格）で動作するネットワークは、互いに通信可能に接続された複数（図１において５台）の機器により構成される。各機器は、例えば、パソコン１、ハードディスク装置２、レコーダ３、表示装置４、デジタルビデオカメラ５である。レコーダ３は、例えばハードディスク装置（ＨＤＤ）と光ディスク装置（ＤＶＤ装置）を有するレコーダである。表示装置４は、例えばＴＶ、ディスプレイである。
【０００９】
このように構成されたネットワークは、例えば、パソコン１とハードディスク装置２、パソコン１とレコーダ３との間で、画像データや音声データ等のデータ転送が可能である。また、デジタルビデオカメラ５とレコーダ３との間でデータの転送が可能であり、レコーダ３に記憶された画像データを表示装置４に転送して再生可能である。また、デジタルビデオカメラ５に記録された画像データを、レコーダ３を介して表示装置４に転送して再生可能である。
【００１０】
各機器は、それぞれ通信装置を備えている。通信装置は、例えば半導体装置として提供される。各通信装置は、転送データを送信する送信機能と、転送データを受信する受信機能とを備えている。例えば、パソコン１及びハードディスク装置２はそれぞれ、図２に示す通信装置１０及び通信装置２０を備えている。ここでは、通信装置をノードとして説明する。
【００１１】
第１のノード１０は、送信終端部１１と受信終端部１２を有し、第２のノード２０は、送信終端部２１と受信終端部２２を有している。各送信終端部１１，２１及び受信終端部１２，２２は、同一値の終端抵抗を備えている。送信終端部１１及び受信終端部１２と、受信終端部２２と送信終端部２１とは、伝送路３０で接続され、双方向に並行して通信可能である。伝送路３０は、例えば、複数本（または複数対）のケーブル、基板に形成された導電体（導電パターン）、コネクタ、等である。
【００１２】
第１のノード１０は、第２のノード２０から送信された信号Ｔｘ（応答信号など）を受信終端部１２を介して受信回路１３で受信する。受信回路１３は、受信した信号Ｒｘに基づく受信信号ＲＳ１を物理ロジック部１４に供給する。
【００１３】
受信回路１３は、２つのノード間の伝送損失を補償するイコライザ（equalizer ）１３ａを有している。イコライザ１３ａは、物理ロジック部１４から供給されるイコライザ制御信号ＣＥ１に応答してオン・オフする。オンしたイコライザ１３ａは、受信回路１３が受信した信号のうち、所定の帯域の信号を増幅する。イコライザ１３ａは、増幅回路の一例である。受信回路１３は、イコライザ１３ａにより増幅された信号に応じた受信信号ＲＳ１を出力する。オフしたイコライザ１３ａは、上記の増幅を行わない。従って、受信回路１３は、受信した信号の振幅と等しい振幅の受信信号ＲＳ１を出力する。イコライザ１３ａが処理する帯域と増幅のゲインは、例えば受信信号の周波数に応じて設定されている。
【００１４】
オン状態のイコライザ１３ａは、第１のノード１０と第２のノード２０との間の通信状態を改善する。例えば、イコライザ１３ａが所定帯域の信号を増幅することは、伝送路３０のロスで失われたデータ波形の高周波成分を補償する。伝送路３０における大きな高周波ロスは、受信端におけるデータ波形を劣化させ、安定したデータの送受信を阻害する。従って、イコライザ１３ａは、データ波形の劣化を低減し、安定したデータの送受信を可能とする。なお、ロスが小さな伝送路の場合、データ波形の劣化が小さく、イコライザ１３ａが動作していなくても、安定したデータの送受信が可能である。
【００１５】
そして、イコライザ１３ａのオン・オフは、受信回路１３における消費電力を変更する。イコライザ１３ａがオン状態であるとき、受信回路１３における消費電力は、イコライザ１３ａがオフ状態であるときの受信回路１３の消費電力よりも大きい。従って、イコライザ１３ａをオフすることは、受信回路１３の消費電力を低減する。
【００１６】
また、受信回路１３は、と、受信信号の振幅を検出する振幅検出器１３ｂを有している。振幅検出器１３ｂは、受信端における受信信号の振幅を検出し、その検出結果、つまり振幅値ＳＳ１を出力する。振幅検出器１３ｂが振幅を検出する受信信号は、例えば、イコライザ１３ａの出力信号である。なお、受信信号は、相手ノードが送信する送信信号の振幅変更に応じて振幅が変化する信号であればよく、受信回路１３が受け取る信号、イコライザ１３ａが受け取る信号、等の適宜な変更が可能である。
【００１７】
物理ロジック部１４は、受信回路１３から出力される受信信号ＲＳ１を受け取り、その受信信号ＲＳ１を符号化した受信データを生成する。また、物理ロジック部１４は、送信データに基づく送信信号ＴＳ１を送信回路１５に供給する。送信回路１５は、送信信号ＴＳ１に基づく信号Ｔｘを出力する。
【００１８】
送信回路１５は、伝送路での損失に起因する信号間干渉を補償するデ・エンファシス（de-emphasis ）１５ａを有している。デ・エンファシス１５ａは、物理ロジック部１４から供給される制御信号ＣＤ１に応答してオン・オフする。オンしたデ・エンファシス１５ａは、送信側の信号を強調する。例えば、デ・エンファシス１５ａは、矩形状の信号の立ち上がり部分及び立ち下がり部分の少なくとも一方をオーバーシュートした波形に整形する。デ・エンファシス１５ａは、波形整形回路の一例である。なお、デ・エンファシスは、プリエンファシス、ポストエンファシスと呼ばれることがある。
【００１９】
オン状態のデ・エンファシス１５ａは、第１のノード１０と第２のノード２０との間の通信状態を改善する。例えば、デ・エンファシス１５ａが波形を整形することは、伝送路３０のロスで失われるデータ波形の高周波成分を強調する。伝送路３０における大きな高周波ロスは、受信端におけるデータ波形を劣化させ、安定したデータの送受信を阻害する。従って、デ・エンファシス１５ａは、データ波形の劣化を低減し、安定したデータの送受信を可能とする。なお、ロスが小さな伝送路の場合、データ波形の劣化が小さく、デ・エンファシス１５ａが動作していなくても、安定したデータの送受信が可能である。
【００２０】
そして、デ・エンファシス１５ａのオン・オフは、送信回路１５における消費電力を変更する。デ・エンファシス１５ａがオン状態であるとき、送信回路１５における消費電力は、デ・エンファシス１５ａがオフ状態であるときの送信回路１５の消費電力よりも大きい。従って、デ・エンファシス１５ａをオフすることは、送信回路１５の消費電力を低減する。
【００２１】
送信回路１５は、デ・エンファシス１５ａの出力信号に基づく送信信号Ｔｘを送信する。さらに、送信回路１５は、振幅制御信号ＣＡ１に応じた振幅の送信信号Ｔｘを送信する。なお、振幅を調整する信号は、送信回路１５の入力端子から出力端子までの間の信号であればよく、例えばデ・エンファシス１５ａに供給する信号としてもよい。送信回路１５から出力される信号Ｔｘは、送信終端部１１と伝送路３０を介して第２のノード２０に供給される。
【００２２】
第２のノード２０は、第１のノード１０と同様に構成されている。即ち、第２のノード２０は、受信回路２３、物理ロジック部２４、送信回路２５を備える。第２のノード２０が備える回路の動作は、第１のノード１０が備える回路の動作と同じである。即ち、受信回路２３は、受信終端部２２を介して受信した信号Ｒｘに基づく受信信号ＲＳ２を物理ロジック部２４に供給する。物理ロジック部２４は、受信回路２３から出力される受信信号ＲＳ２を受取、その受信信号ＲＳ２を符号化した受信データを生成する。また、物理ロジック部２４は、送信データに基づく送信信号ＴＳ２を送信回路２５に供給する。送信回路２５は、送信信号ＴＳ２に基づく信号Ｔｘを出力する。
【００２３】
受信回路２３は、２つのノード間の伝送損失を補償するイコライザ２３ａと、受信端における信号の振幅を振幅検出器２３ｂを備えている。イコライザ２３ａは、物理ロジック部２４から出力される制御信号ＣＥ２に応答してオン・オフする。振幅検出器２３ｂは、検出した振幅値ＳＳ２を物理ロジック部２４に出力する。送信回路２５は、伝送路での損失に起因する信号間干渉を補償するデ・エンファシス２５ａを備えている。デ・エンファシス２５ａは、物理ロジック部２４から出力される制御信号ＣＤ２に応答してオン・オフする。
【００２４】
第１のノード１０の物理ロジック部１４は、受信回路１３及び送信回路１５の動作条件を管理する調整回路１４ａを有している。同様に、第２のノード２０の物理ロジック部２４は、受信回路２３及び送信回路２５の動作条件を管理する調整回路２４ａを有している。
【００２５】
両調整回路１４ａ，２４ａは、それぞれ動作条件に基づいて互いに通信を行う。そして、調整回路１４ａは、受信回路１３及び送信回路１５に対する制御信号ＣＥ１，ＣＡ１，ＣＤ１等を生成する。これにより、調整回路１４ａは、受信回路１３と送信回路１５をそれぞれ調整する。同様に、調整回路２４ａは、受信回路２３のイコライザ２３ａに対する制御信号ＣＥ２と、送信回路２５に対する制御信号ＣＡ２，ＣＤ２を生成する。これにより、調整回路２４ａは、受信回路２３と送信回路２５をそれぞれ調整する。
【００２６】
第１のノード１０と第２のノード２０との間で行われる通信は、互いの送受信を同時に許容する全二重通信である。よって、第１のノード１０と第２のノード２０との間の相互通信は、２つのパスによって行われる。第１のパスは、第１のノード１０の送信回路１５から第２のノード２０の受信回路２３へ信号を伝達し、第２のパスは、第２のノード２０の送信回路２５から第１のノード１０の受信回路１３へ信号を伝達する。
【００２７】
第１のノード１０の受信回路１３が受け取る受信信号の状態（レベル、波形、等）は、第２のノード２０の送信回路２５から送信される送信信号の状態、つまり送信回路２５の送信条件に対応する。従って、両ノード１０，２０の調整回路１４ａ，２４ａは、第１のパスにより伝達される信号に基づいて、送信回路１５と受信回路２３をそれぞれ調整する。
【００２８】
同様に、第２のノード２０の受信回路２３が受け取る受信信号の状態（レベル、波形、等）は、第１のノード１０の送信回路１５から送信される送信信号の状態、つまり送信回路２５の送信条件に対応する。従って、調整回路１４ａと調整回路２４ａは、第２のパスを介して伝達される信号に基づいて、送信回路１５と受信回路２３をそれぞれ調整する。
【００２９】
ここで、各ノード１０，２０におけるステートの遷移を説明する。
各ノード１０，２０は、図４に示す第１のステートＳＴ１から第５のステートＳＴ５まで遷移する。なお。図４に示すステートＳＴ１〜ＳＴ５は、回路停止状態から通信開始までのステートの概略を示すものであり、これらのステートに限定されない。
【００３０】
第１のステートＳＴ１は、回路停止状態である。各ノード１０，２０は、電源投入により、第１のステートＳＴ１から第２のステートＳＴ２に遷移する。
第２のステートＳＴ２は、トーン送出状態であり、各ノード１０，２０は、送信回路１５から「トーン信号」と呼ばれる信号を定期的に送出する。ケーブルが接続され、接続された他のノードから送出されるトーン信号を受信すると、第２のステートＳＴ２から第３のステートＳＴ３に遷移する。
【００３１】
第３のステートＳＴ３は、通信環境設定を行うステートである。各ノード１０，２０は、接続が確認されたノードと、互いに通信環境の設定を行う。この通信環境は、互いのノードの通信速度の設定を含む。両ノード１０，２０は、互いの通信速度に応じた情報（スピードコード）を含む送信信号をそれぞれ送信し、互いの通信速度を一致させる。
【００３２】
また、通信環境の設定は、各ノード１０，２０の送信回路及び受信回路の動作条件の設定を含む。各ノード１０，２０は、送信回路及び受信回路の設定条件を含む送信信号を送信する。設定条件は、出力信号の振幅値、送信波形品質に関わる回路（例えば、デ・エンファシス）の動作状態、受信感度に関わる回路（例えば、イコライザ）の動作状態、等を含む。そして、両ノード１０，２０は、受信した信号に基づく応答情報を含む信号を送信する。各ノード１０，２０は、それぞれ設定条件と応答情報とに基づいて、送信回路及び受信回路をそれぞれ調整する。
【００３３】
第４のステートＳＴ４は、同期化を行うステートであり、同期信号に基づいて、受信回路が受信信号に対して同期化を行う。同期が確立されると、各ノード１０，２０は、第４のステートＳＴ４から第５のステートＳＴ５に遷移する。各ノード１０，２０は、第５のステートＳＴ５において、各ノード１０，２０は、接続が確立された相手のノードと互いに通信を行う。
【００３４】
次に、両ノード１０，２０間で送受信される各種の信号を説明する。
図５（ａ）に示すように、トーン信号ＴＮは、所定時間Ｄ１毎に繰り返し送信される。トーン信号ＴＮの送信間隔（時間Ｄ１）は、規格により設定された時間であり、例えば、４２．６７ｍｓである。トーン信号ＴＮは、規格に対応する周波数（例えば、４８ＭＨｚ〜６４ＭＨｚ）のパルスが、時間Ｄ２（例えば、６６６．６７μｓ）の間、継続する信号である。
【００３５】
図２に示す伝送路３０により互いに接続された第１のノード１０及び第２のノード２０は、互いに相手のノードから送信されるトーン信号ＴＮを検出し、応答のための信号を送信する。この応答のための信号は、図５（ａ）に示すように、トーン信号ＴＮの開始から所定時間Ｄ３（例えば、２．６７ｍｓ）経過後に破線で示す受取通知信号（アクノリッジ信号）ＡＣＫである。この受取通知信号ＡＣＫは、トーン信号ＴＮと同様のパルス信号である。第１のノード１０及び第２のノード２０は、互いに受取通知信号ＡＣＫを検出すると、通信相手のノードが接続されていると判定し、図４に示すように、第２のステートＳＴ２から第３のステートＳＴ３にそれぞれ遷移する。
【００３６】
第３のステートＳＴ３において送出される速度コード（スピードコード）は、図５（ｂ）に示すように、トーン信号ＴＮの送出後、そのトーン信号ＴＮの送信開始から所定の期間Ｄ４（例えば、２１．３３ｍｓ）の間に、第１のノード１０及び第２のノード２０から送出される。スピードコードＴＳＣは、所定数（例えば６ビット）の信号である。なお、図５（ｂ）に示すように、アクノリッジ信号ＡＣＫを送出するタイミングが予約され、そのアクノリッジ信号ＡＣＫの送信開始から時間Ｄ３経過後から、同じ時間Ｄ３毎に、スピードコードＴＳＣの各ビットを送信する。
【００３７】
スピードコードＴＳＣの各ビットは、トーン信号ＴＮと同様に、期間Ｄ２継続して出力されるパルス信号の有無によって示される。例えば、値が「１」のビットは、時間Ｄ２の幅のパルス信号が出力され、値が「０」のビットは、時間Ｄ２の幅のパルス信号の出力が停止される。従って、受信側の回路（例えば、第２のノード２０の物理ロジック部２４）は、所定のタイミングでパルス信号を検出した場合に対応するビットの値を「１」とし、パルス信号を検出しない場合に値を「０」とする。
【００３８】
各ノード１０，２０は、自ノードが動作可能な動作モードのうち、最大の通信速度に対応するスピードコードＴＳＣを互いに送信する。例えば、Ｓ４００，Ｓ８００，Ｓ１６００，Ｓ３２００の動作モードに対応可能なノードは、Ｓ３２００のモードに応じた「０１１ＸＸ０」のビット列のスピードコードＴＳＣを送出する。なお、「ＸＸ」は、「FOP Capable 」と「PIL Capable 」に対応するビットである。
【００３９】
スピードコードＴＳＣを受け取ったノードは、トーン信号ＴＮとアクノリッジ信号ＡＣＫを送出した後、自ノードが対応可能な動作モードに対応するスピードコードＴＳＣを送出する。両ノード１０，２０は、互いの通信速度に応じた情報（スピードコードＴＳＣ）を含む送信信号をそれぞれ送信する。そして、両ノード１０，２０は、互いの最大通信速度を交換し、遅い方の通信速度に対応する動作モードに設定する。
【００４０】
例えば、第１のノード１０が動作可能な動作モードをＳ４００，Ｓ８００，Ｓ１６００，Ｓ３２００とし、第２のノード２０が動作可能な動作モードをＳ２００，Ｓ４００，Ｓ８００，Ｓ１６００とする。第１のノード１０は、Ｓ３２００の動作モードに対応するスピードコードＴＳＣを送信し、第２のノード２０は、Ｓ１６００の動作モードに対応するスピードコードＴＳＣを送信する。
【００４１】
Ｓ１６００の動作モードに対応するスピードコードＴＳＣを受け取った第１のノード１０は、その動作モードに対応可能であるため、トーン信号ＴＮの送出後、アクノリッジ信号ＡＣＫと、そのＳ１６００の動作モードに対応するスピードコードＴＳＣを送出する。Ｓ３２００の動作モードに対応するスピードコードＴＳＣを受け取った第２のノード２０は、その動作モードに対応不可能である。このため、第２のノード２０は、自ノードの動作可能な動作モードのうち、最大の通信速度に対応する動作モード、つまり、Ｓ１６００の動作モードに対応するスピードコードＴＳＣを、アクノリッジ信号ＡＣＫの後に送出する。
【００４２】
両ノード１０，２０は、送信回路及び受信回路の動作条件の設定のため、回路の動作状態情報（状態コード）を送信する。
上記したように、第１のノード１０と第２のノード２０の間で相互に行われる通信は、２つのパスによって行われる。そして、各パスにおいて、送信回路から送信される信号Ｔｘは、伝送路３０を介して受信信号Ｒｘとして受信回路により受信される。つまり、１つのパスにおいて、伝送路を介して互いに接続された２つのノードのうちの何れか一方は送信側のノードとして動作し、２つのノードのうちの何れか他方は受信側のノードとして動作する。このため、送信側のノードは、図５（ｂ）に示す状態コードＴＣＣを送信する。受信側のノードは、図５（ｃ）に示す状態コードＲＣＣを送信する。
【００４３】
状態コードＴＣＣ，ＲＣＣは、所定数（例えば５ビット）の信号である。また、状態コードＴＣＣ，ＲＣＣの各ビットは、上記のトーン信号ＴＮやスピードコードＴＳＣと同様に、期間Ｄ２継続して出力されるパルス信号の有無によって示される。
【００４４】
各ノード１０，２０は、それぞれの動作状態に応じて、状態コードＴＣＣ又は状態コードＲＣＣを送信する。例えば、第１のノード１０を送信側のノードとし、第２のノード２０を受信側のノードとする。図５（ｂ）に示すように、第１のノード１０は、スピードコードＴＳＣと次のトーン信号ＴＮとの間に状態コードＴＣＣを送出する。例えば、第１のノード１０は、トーン信号ＴＮの送信開始から、所定時間Ｄ４経過したときからさらに時間Ｄ３経過後から、同じ時間Ｄ３毎に、状態コードＴＣＣの各ビットを送信する。同様に、図５（ｃ）に示すように、第２のノード２０は、スピードコードＴＳＣと次のトーン信号ＴＮとの間に状態コードＲＣＣを送出する。
【００４５】
つまり、各ノード１０，２０は、スピードコードＴＳＣの最後のビットの送信開始から、所定時間Ｄ３の２倍の時間が経過した後に、状態コードＴＣＣ，ＲＣＣの送信を開始する。このように、スピードコードＴＳＣの最終ビットと、状態コードＴＣＣの最初のビットとの間を空けることで、スピードコードＴＳＣと状態コードＴＣＣ，ＲＣＣを確実に区別して受信することができる。また、状態コードＴＣＣ，ＲＣＣの送出に対応していない機器が、この状態コードＴＣＣ，ＲＣＣをスピードコードＴＳＣと誤って受信することを防止する。
【００４６】
次に、状態コードＴＣＣを説明する。
一例として、５ビットの状態コードＴＣＣを説明する。この状態コードＴＣＣは、５つのビットＢ１〜Ｂ５を含む。
【００４７】
第１のビットＢ１は、ノード情報である。ノード情報は、状態コードＴＣＣの対象ノードを示す。値が「１」のノード情報は、状態コードＴＣＣが送信側のノードの情報であることを示し、値が「０」のノード情報は、状態コードＴＣＣが受信側のノードの情報であることを示す。
【００４８】
例えば、第１のノード１０を送信側のノード、第２のノード２０を受信側のノードとする。第１のノード１０は、送信側のノード、即ち自ノードの送信回路１５の状態に応じた状態コードＴＣＣを送信する。また、第１のノード１０は、受信側のノード、即ち第２のノード２０の受信回路２３に対する状態コードＴＣＣを送信する。
【００４９】
第２のビットＢ２は、最大動作情報である。最大動作情報は、送信回路の動作状態が最大動作か否かを示す。値が「１」の最大動作情報は、最大動作を示し、値が「０」の最大動作情報は、最大動作ではないことを示す。最大動作は、例えば、送信振幅が最大かつデ・エンファシス１５ａがオン状態である。非最大動作は、送信振幅が最大ではないか、またはデ・エンファシス１５ａがオフ状態である。
【００５０】
ＩＥＥＥ１３９４．ｂ規格のネットワークに接続された機器は、複数の異なる転送速度モードのいずれか１つで動作可能である。例えば、機器は、Ｓ４００，Ｓ８００，Ｓ１６００，Ｓ３２００のモードのいずれか１つで動作する。各モードでは、機器の出力信号の振幅（出力振幅）の最大値は８００ｍＶで同一であるが、最大転送速度と、出力振幅の許容最小値が互いに異なる。例えば、Ｓ４００では最大転送速度が５００Ｍｂｐｓ、出力振幅の最小値が３００ｍＶであり、Ｓ８００では最大転送速度が１Ｇｂｐｓ、出力振幅の最小値が３５０ｍＶである。Ｓ１６００では最大転送速度が２Ｇｂｐｓ、出力振幅の最小値が４７５ｍＶである。
【００５１】
第３のビットＢ３と第４のビットＢ４は、送信振幅値情報である。送信振幅値情報は、送信回路が出力する送信信号の振幅値（送信振幅値）を示す。例えば、値が「１１」の送信振幅情報は最大の振幅値（８００ｍＶ）に対応する。同様に、値「１０」は７００ｍＶ、値「０１」は６００ｍＶ、値「００」は５００ｍＶにそれぞれ対応する。
【００５２】
第５のビットＢ５は、デ・エンファシス動作情報である。デ・エンファシス動作情報は、デ・エンファシス１５ａの状態を示す。値が「１」の動作情報は、デ・エンファシス１５ａのオン状態を示し、値が「０」の動作情報は、デ・エンファシス１５ａのオフ状態を示す。
【００５３】
状態コードＴＣＣは、送信側のノードから受信側のノードに送信される。従って、送信側のノードが送信する受信回路の情報は、受信側のノードの受信回路を設定する情報である。つまり、第１のビットＢ１が「０」の状態コードＴＣＣは、受信側のノードに備えられた受信回路に設定する情報である。例えば、受信回路は、イコライザを備える。従って、受信側のノードに備えられた調整回路、例えば図２に示す調整回路２４ａは、受信した状態コードＴＣＣに含まれる第５のビットＢ５に応じてイコライザ制御信号ＣＥ１を生成する。図２に示すイコライザ２３ａは、制御信号ＣＥ２に応答してオン・オフする。
【００５４】
次に、状態コードＲＣＣを説明する。
一例として、５ビットの状態コードＲＣＣを説明する。受信側のノードが送信する状態コードＲＣＣは、５つのビットＢ１〜Ｂ５を含む。
【００５５】
第１のビットＢ１は、ノード情報である。ノード情報は、上記の状態コードＴＣＣに含まれるノード情報と同様に、状態コードＲＣＣの対象ノードを示す。値が「１」のノード情報は、状態コードＲＣＣが送信側のノードの情報であることを示し、値が「０」のノード情報は、状態コードＲＣＣが受信側のノードの情報であることを示す。例えば、第１のノード１０を送信側のノード、第２のノード２０を受信側のノードとする。第２のノード２０は、受信側のノード、即ち自ノードの受信回路２３の状態を示す状態コードＲＣＣを送信する。また、第２のノード２０は、送信側のノード、即ち第１のノード１０の送信回路１５に対する状態コードＲＣＣを送信する。
【００５６】
第２〜第４のビットＢ２〜Ｂ４は、受信振幅値情報である。受信振幅値情報は、第２のノード２０の振幅検出器２３ｂが検出した受信信号の振幅値を示す。物理ロジック部２４は、振幅検出器２３ｂの検出結果に応じた受信振幅値情報を生成する。例えば、物理ロジック部２４は、振幅値が４００ｍＶ以上のときに値が「１１１」の受信振幅値情報を生成する。同様に、振幅値が３５０ｍＶ以上４００ｍＶ未満の時に値が「１１０」の受信振幅値情報を、振幅値が３００ｍＶ以上３５０ｍＶ未満の時に値が「１０１」の受信振幅値情報を、振幅値が２５０ｍＶ以上３００ｍＶ未満の時に値が「１００」の受信振幅値情報を、振幅値が２００ｍＶ以上２５０ｍＶ未満の時に値が「０１１」の受信振幅値情報を生成する。さらに、振幅値が１５０ｍＶ以上２００ｍＶ未満の時に値が「０１０」の受信振幅値情報を、振幅値が１００ｍＶ以上１５０ｍＶ未満の時に値が「００１」の受信振幅値情報を、振幅値が１００ｍＶ未満の時に値が「０００」の受信振幅値情報を生成する。このように生成された受信振幅値情報が受信側のノードから送信される状態コードＲＣＣに含まれる。
【００５７】
第５のビットＢ５は、イコライザ動作情報である。イコライザ動作情報は、イコライザ２３ａの状態を示す。値が「１」のイコライザ動作情報は、イコライザ２３ａのオン状態を示し、値が「０」のイコライザ動作情報はイコライザ２３ａのオフ状態を示す。
【００５８】
なお、送信側のノードと受信側のノードは、第３のステートＳＴ３において、状態コードを送信するタイミングにより決定される。第３のステートＳＴ３において、伝送路を介して接続された２つのノードは、それぞれ送信側のノードとして動作し、互いに状態コードＴＣＣを送信する。そして、２つのノードのうち、状態コードの送信タイミングが他のノードのそれよりも早いノードが送信側のノードとして動作する。そして、１つのパスにおける送信回路と受信回路の調整が終了すると、送信側のノードと受信側のノードとを入れ替えて、そのパスにおける送信回路と受信回路の調整を行う。
【００５９】
例えば、第１のノード１０が状態コードを送信するタイミングが第２のノード２０のそれよりも早い場合、第１のノード１０が送信側のノードとして動作し、第２のノード２０が受信側のノードとして動作する。そして、第１のノード１０は送信回路１５を調整し、第２のノード２０は受信回路２３を調整する。次に、第２のノード２０が送信側のノードとして動作し、送信回路２５を調整する。このとき、第１のノード１０は受信側のノードとして動作し、受信回路１３を調整する。
【００６０】
次に、第１のノード１０の調整回路１４ａの構成を図３に従って説明する。なお、図２に示す第２のノード２０の調整回路２４ａの構成は、調整回路１４ａの構成と同じであるため、図面及び説明を省略する。
【００６１】
図３に示すように、調整回路１４ａは、図２に示す受信回路１３と送信回路１５を最適化する最適化回路４０を備えている。最適化回路４０は、フラグ制御回路４１、送信系制御回路４２、デ・エンファシス制御回路４３、振幅調整デコーダ４４、受信系制御回路４５、イコライザ制御回路４６を備えている。
【００６２】
フラグ制御回路４１には、物理ロジック部１４の初期値が供給され、フラグ制御回路４１は、初期値の設定にしたがってレジスタ４１ａにフラグを格納する。レジスタ４１ａに格納されるフラグは、受信回路１３と送信回路１５の動作条件である。つまり、フラグは、受信回路１３が備えるイコライザ１３ａの動作状態を示す値と、送信回路１５が備えるデ・エンファシス１５ａの動作状態を示す値と、送信回路１５が出力する送信信号Ｔｘの送信振幅値を含む。イコライザ１３ａの動作状態は、例えば１ビットのフラグによって示される。また、デ・エンファシス１５ａの動作状態は、例えば１ビットのフラグによって示される。また、送信回路１５の振幅値は、例えば４ビットのフラグによって示される。
【００６３】
フラグ制御回路４１は、レジスタ４１ａに格納したフラグに基づいて、送信系制御回路４２に送信制御情報を出力する。この送信制御情報は、デ・エンファシス１５ａの動作状態を示す値と、送信回路１５の送信振幅値を含む。また、フラグ制御回路４１は、送信系制御回路４２から供給される送信制御情報（デ・エンファシス１５ａの動作状態を示す値、送信回路１５の送信振幅値）をレジスタ４１ａにフラグとして格納する。
【００６４】
フラグ制御回路４１は、レジスタ４１ａに格納したフラグに基づいて、受信系制御回路４５に受信制御情報を出力する。この受信制御情報は、イコライザ１３ａの動作状態を示す値を含む。また、フラグ制御回路４１は、受信系制御回路４５から供給される受信制御情報（イコライザ１３ａの動作状態を示す値）をレジスタ４１ａにフラグとして格納する。
【００６５】
送信系制御回路４２には、第２のノード２０から送信された信号に基づいて受信情報Ｓ２が入力される。受信情報Ｓ２には、受取通知信号ＡＣＫと、第２のノード２０における受信回路２３の受信情報が含まれる。この受信情報は、受信回路２３の振幅検出器２３ｂにおいて検出された受信信号ＲＳ２の振幅値、イコライザ２３ａのオン・オフ情報が含まれる。この受信情報は、図５（ｃ）に示す状態コードＲＣＣによって第２のノード２０から送信される。
【００６６】
送信系制御回路４２は、先ず、送信制御情報に基づいて、送信系の回路、即ち送信回路１５を制御する。例えば、送信系制御回路４２は、送信回路１５に備えられたデ・エンファシス１５ａを制御するための信号をデ・エンファシス制御回路４３に供給する。また、送信系制御回路４２は、送信回路１５が出力する送信信号Ｔｘの振幅を調整するための信号を振幅調整デコーダ４４に供給する。送信系制御回路４２は、受信情報Ｓ２を入力すると、その受信情報Ｓ２に基づいて、送信回路１５の送信振幅値、デ・エンファシス１５ａの動作状態を設定する。また、送信系制御回路４２は、通信相手のノード、つまり第２のノード２０の受信回路２３に備えられたイコライザ２３ａを制御するための情報を生成する。
【００６７】
デ・エンファシス制御回路４３は、送信系制御回路４２から供給される信号に基づいて、送信回路１５に備えられたデ・エンファシス１５ａに対するデ・エンファシス制御信号ＣＤ１を生成する。振幅調整デコーダ４４は、送信系制御回路４２から供給される信号をデコードして、送信回路１５に供給する振幅制御信号ＣＡ１を生成する。
【００６８】
受信系制御回路４５には、第２のノード２０から送信された信号に基づく送信情報Ｓ４が入力される。送信情報Ｓ４には、受信回路１３が備えるイコライザ１３ａに対する制御情報が含まれる。受信系制御回路４５は、送信情報Ｓ４に基づいて、イコライザ１３ａを制御するための信号をイコライザ制御回路４６に出力する。イコライザ制御回路４６は、受信系制御回路４５から入力された信号に基づいて、イコライザ１３ａに対するイコライザ制御信号ＣＥ１を生成する。
【００６９】
フラグ制御回路４１は、レジスタ４１ａに格納されたフラグを、送信情報生成回路４７に出力する。この送信情報生成回路４７には、クロック信号ＣＫ、図２に示す物理ロジック部１４から動作モードに応じた値が供給される。送信情報生成回路４７は、クロック信号ＣＫに基づいて、トーン信号ＴＮを生成する。また、送信情報生成回路４７は、動作モードに応じた値に基づいて、速度コード（スピードコード）ＴＳＣを生成する。
【００７０】
また、送信情報生成回路４７には、図２に示す振幅検出器１３ｂから出力される受信振幅値が供給される。送信情報生成回路４７は、フラグ制御回路４１から供給される値（送信制御情報）に基づいて、状態コードＴＣＣを生成する。また、送信情報生成回路４７は、受信振幅値に基づいて、状態コードＲＣＣを生成する。
【００７１】
次に、両ノード１０，２０間の接続検出及び環境設定、つまり、図４に示すトーン送出のステートＳＴ２と通信環境設定のステートＳＴ３の概略処理を説明する。
図７に示すように、ステップ５１において、第１のノード１０の送信系制御回路４２は、送信回路１５から、図５（ａ）に示すように、Ｄ１期間毎にトーン信号ＴＮを送信させる。同様に、第２のノード２０の送信系制御回路４２は、送信回路２５から、時間Ｄ１が経過する毎にトーン信号ＴＮを送信させる。
【００７２】
次に、ステップ５２において、各ノード１０，２０は、通信相手が接続されているか否かを判定する。通信相手が接続されているか否かの判定は、上記したように、物理ロジック部１４，２４がトーン信号ＴＮとアクノリッジ信号ＡＣＫを受信したか否かにより判定する。各ノード１０，２０は、トーン信号とアクノリッジ信号ＡＣＫを受信しない場合、接続された通信相手がいないと判定し（ＮＯ）、ステップ５１に移行する。トーン信号とアクノリッジ信号ＡＣＫを受信したノード１０，２０は、接続された通信相手があると判定し（ＹＥＳ）、ステップ５３に移行する。つまり、各ノード１０，２０は、トーン信号とアクノリッジ信号ＡＣＫを受信するまでステップ５１，５２の処理を繰り返す。なお、各ノード１０は、ステップ５１，５２の処理を間欠的に実行するようにしてもよい。また、各ノード１０，２０は、ステップ５１，５２の処理を所定期間継続した後、動作を停止するようにしてもよい。
【００７３】
次に、ステップ５３において、各ノード１０，２０は、前回のトーン信号ＴＮの送信から所定時間（例えば、周期Ｄ１と等しい時間）が経過するのを待つ。この待機処理は、次に送信する信号のトーン信号ＴＮを通信相手が検出することを確実にする。上記したように、スピードコードＴＳＣ，ＲＳＣや状態コードＴＣＣ，ＲＣＣは、トーン信号ＴＮと同様のパルス信号である。従って、待機処理を行うことで、各ノード１０，２０が、スピードコードＴＳＣ等をトーン信号ＴＮと誤検出することを防止する。
【００７４】
次に、ステップ５４において、各ノード１０，２０はトーン信号ＴＮ送信後、速度情報（スピードコードＴＳＣ）と状態情報（状態コードＴＣＣ）をそれぞれ送信する。
次に、ステップ５５において、各ノード１０，２０は、状態情報を受信したか否かを判定する。各ノード１０，２０は、状態情報を受信しない場合（ＮＯ）、図７に示す処理を終了する。この場合、各ノード１０，２０は、スピードネゴシエーションを行う。即ち、各ノードは、互いに送信する速度情報（スピードコードＴＳＣ）に基づいて、互いに通信可能な動作モード（通信速度）を設定する。
【００７５】
ステップ５５において、状態情報を受信した場合（ＹＥＳ）、各ノード１０，２０はステップ５６に移行する。ステップ５６において、各ノード１０，２０は、ステップ５４において送信した状態情報の送信タイミングをそれぞれ判定する。そして、両ノード１０，２０は、送信タイミングの判定結果に応じて、ステップ５７，５８の処理又はステップ５９，６０の処理を行う。
【００７６】
例えば、図８に示すように、第１のノード１０は送信状態情報Ｔ１１を送信し、第２のノード２０は送信状態情報Ｔ２１を送信する。この場合、第１のノード１０は、送信状態情報Ｔ１１の送信を完了したとき、第２のノード２０から送信される送信状態情報Ｔ２１を受信中である。一方、第２のノード２０は、送信状態情報Ｔ２１の送信を完了したとき、第１のノード１０が送信する送信状態情報Ｔ１１の受信を完了している。
【００７７】
従って、第１のノード１０は、自ノードの送信タイミングが相手ノードの送信タイミングより早い（自ノードが先）と判定する。このとき、第２のノード２０は、自ノードの送信タイミングが相手ノードの送信タイミングより遅い（相手ノードが先）と判定する。従って、第１のノード１０は、ステップ５７において送信回路の最適化を行った後、ステップ５８において受信回路の最適化を行う。そして、第２のノード２０は、ステップ５９において受信回路の最適化を行った後、ステップ６０において送信回路の最適化を行う。
【００７８】
即ち、第１のノード１０がステップ５７において送信回路の最適化を行うとき、第２のノード２０はステップ５９において受信回路の最適化を行う。次いで、第１のノード１０がステップ５８において受信回路の最適化を行うとき、第２のノード２０はステップ６０において送信回路の最適化を行う。
【００７９】
例えば、図８に示すように、第１のノード１０は、送信状態情報Ｔ１１を送信する。送信状態情報Ｔ１１は、例えば、図９（ａ）に示すように、状態コードＴＣＣを含む。この状態コードＴＣＣの振幅値は、例えば初期設定値（最大の振幅値であり、上記で説明した例では８００ｍＶ）である。
【００８０】
第２のノード２０は、送信状態情報Ｔ１１を受信し、受信状態情報Ｒ２１を送信する。受信状態情報Ｒ２１は、例えば、図１０（ａ）に示すように、各ビットＢ１〜Ｂ５が「０１１０１」の状態コードＲＣＣを含む。第２のビットＢ２から第４のビットＢ４のビット列「１１０」により、受信信号の振幅が「３５０ｍＶ〜４００ｍＶ」の範囲にあることが判る。また、第５ビットＢ５が「１」であるため、第２のノード２０のイコライザ２３ａがオン状態であることが判る。
【００８１】
次いで、第１のノード１０は、受信状態情報Ｒ２１を受信し、送信状態情報Ｔ１１を送信する。
第２のノード２０は、イコライザ２３ａをオフ状態に制御し、送信状態情報Ｔ１１を受信し、受信状態情報Ｒ２２を送信する。受信状態情報Ｒ２２は、例えば、図１０（ｂ）に示すように、各ビットＢ１〜Ｂ５が「０１０１０」の状態コードＲＣＣを含む。第２のビットＢ２から第４のビットＢ４のビット列「１０１」により、受信信号の振幅が「３００ｍＶ〜３５０ｍＶ」の範囲にあることが判る。また、第５ビットＢ５が「０」であるため、第２のノード２０のイコライザ２３ａがオフ状態であることが判る。
【００８２】
次いで、第１のノード１０は、受信状態情報Ｒ２２を受信し、その受信状態情報Ｒ２２（図１０（ｂ）に示す状態コードＲＣＣ）に基づいて、送信信号の振幅値を設定する。そして、第１のノード１０は、図８に示すように、設定した振幅値の送信状態情報Ｔ１２を送信する。この送信状態情報Ｔ１２の振幅は、状態コードＲＣＣに基づいて設定された振幅値である。送信状態情報Ｔ１２は、例えば、図９（ｂ）に示すように、トーン信号ＴＮやスピードコードＴＳＣの振幅よりも小さな振幅の状態コードＴＣＣを含む。この状態コードＴＣＣの振幅は、例えば、「５５０ｍＶ」である。
【００８３】
第２のノード２０は、送信状態情報Ｔ１２を受信し、受信状態情報Ｒ２３を送信する。受信状態情報Ｒ２３は、例えば、図１０（ｃ）に示すように、各ビットＢ１〜Ｂ５が「００１１０」の状態コードＲＣＣを含む。第２のビットＢ２から第４のビットＢ４のビット列「０１１」により、受信信号の振幅が「２００ｍＶ〜２５０ｍＶ」の範囲にあることが判る。また、第５ビットＢ５が「０」であるため、第２のノード２０のイコライザ２３ａがオフ状態であることが判る。
【００８４】
次いで、第１のノード１０は、受信状態情報Ｒ２３を受信する。そして、第１のノード１０は、受信状態情報Ｒ２３に基づいて、受信側のノード、つまり、第２のノード２０に備えられた受信回路２３のイコライザ２３ａがオフ状態であり、受信端における信号の振幅が規定の範囲内にある（例えば、規格により設定された最小振幅値（２００ｍＶ）を満足する）と判定する。そして、第１のノード１０は、送信回路１５と、第２のノード２０において受信回路２３が最適化されたと判定する。
【００８５】
このような送受信により、１つのパスにおける調整が終了すると、つぎのパスの調整を開始する。即ち、第２のノード２０は、送信状態情報Ｔ２１を送信する。第１のノード１０は、送信状態情報Ｔ２１を受信し、受信状態情報Ｒ１１を送信する。図及び説明は省略するが、上記した１つ目のパスにおける処理と同様にして、第１のノード１０は受信回路１３を調整し、第２のノード２０は送信回路２５を調整する。そして、調整処理を終了する。
【００８６】
図７に示すステップ５６において、第１のノード１０が相手ノードが先と判定した場合、第２のノード２０は自ノードが先と判定する。従って、第１のノード１０は、ステップ５９において受信回路の最適化を行った後、ステップ６０において送信回路の最適化を行う。第２のノード２０は、ステップ５７において送信回路の最適化を行った後、ステップ５８において受信回路の最適化を行う。
【００８７】
上記ステップ５６において、両ノード１０，２０の送信タイミングが同時の場合、両ノード１０，２０はステップ５４に移行する。これは、二つあるパスのうち、どちらのパスを先に最適化するかを決定するためである。
【００８８】
次に、最適化処理の詳細を説明する。
なお、以下の説明において、１つのパスに備えられた第１のノードの送信回路１５と第２のノード２０の受信回路２３に対して最適化処理を行う場合について説明する。第２のノードの送信回路２５と第１のノード１０の受信回路１３に対する最適化処理は、以下の説明により容易に理解される。
【００８９】
図１１に示すように、ステップ７１において、図２に示す第１のノード１０の送信系制御回路４２は、送信回路１５（図において（ＴＸ）と表記）に対応する送信状態情報（状態コードＴＣＣ）を、送信回路１５を介して送信する。このとき、送信回路１５は、調整回路１４ａから供給される振幅制御信号ＣＡ１、つまり送信振幅値に応じた振幅の送信状態情報を送信する。
【００９０】
図２に示す第２のノード２０は、第１のノード１０の送信回路１５から送信される信号を受信回路２３にて受信する。受信回路２３に備えられた振幅検出器２３ｂは、受信端における受信信号の振幅値を検出し、その検出結果（受信振幅値）ＳＳ２を出力する。第２のノード２０の調整回路２４ａは、受信振幅値と、イコライザ２３ａの動作状態を含む受信状態情報（状態コードＲＣＣ）を、送信回路２５から送信させる。このとき、送信回路２５は、所定の動作条件（例えば、送信振幅値は最大値）で、送信信号を送信する。なお、第２のノード２０は、以下の処理においても、同様に、受信信号に応答して受信状態情報を送信する。
【００９１】
次に、ステップ７２において、第１のノード１０の送信系制御回路４２は、第２のノード２０の受信回路２３（図において（相手ＲＸ）と表記）に対応する受信状態に応じた受信状態情報（状態コードＲＣＣ）を、受信回路１３を介して受信する。この受信状態情報は、第２のノード２０の振幅検出器２３ｂが検出した受信振幅値、受信回路２３の状態（イコライザ２３ａの状態）を含み、第２のノード２０の送信回路２５から送信される。振幅検出器２３ｂが検出した信号振幅値は、ステップ７１において送信回路１５から送信した信号（送信状態情報）の振幅値に対応する。
【００９２】
次に、送信系制御回路４２は、送信状態情報（送信回路１５の送信振幅値）と受信状態情報に含まれる受信振幅値に基づいて、送信回路１５に設定する送信振幅値を算出する。
送信回路１５に設定されている送信振幅値をＴＡ１、基準値Ｒｒｆ（例えば、規格に規定された受信端における最小振幅値）、受信端振幅値をＲＡ１とすると、送信系制御回路４２は、送信回路１５に設定する送信振幅値ＴＡ２を、
ＴＡ２＝ＴＡ１×（Ｒｒｆ÷ＲＡ１）    ・・・（１）
により算出する。つまり、送信系制御回路４２は、現在の送信振幅値と算出する送信振幅値との比が、受信振幅値と基準値との比と等しくなる（ＴＡ１：ＴＡ２＝ＲＡ１：Ｒｒｆ）ように、送信振幅値を算出する。
【００９３】
なお、図２に示す送信回路１５が出力する送信信号の振幅は、図３に示す振幅調整デコーダ４４から供給される振幅制御信号ＣＡ１により、段階的に調整される。送信系制御回路４２は、算出した振幅値ＴＡ２に対し、その振幅値ＴＡ２を下回らない最小の振幅値を選択する。例えば、送信振幅値の調整範囲は２００ｍＶ〜８００ｍＶ、調整ステップは５０ｍＶである。そして、振幅値ＴＡ１を８００ｍＶ、受信端振幅値ＲＡ１を３００ｍＶ、基準値Ｒｒｆを２００ｍＶ（規格に規定された受信端における最小振幅値）とすると、振幅値ＴＡ２は約５３３ｍＶ（＝（８００×（２００÷３００））となる。従って、送信系制御回路４２は、振幅値ＴＡ２を下回らない最小の値として、５５０ｍＶを選択する。そして、送信系制御回路４２は、算出した送信振幅値（＝５５０ｍＶ）の送信信号を送信回路１５が出力するように、信号を図３に示す振幅調整デコーダ４４に出力する。振幅調整デコーダ４４は、送信系制御回路４２から出力される信号に基づいて、振幅制御信号ＣＡ１を送信回路１５に出力する。つまり、送信系制御回路４２は、算出した送信振幅値を送信回路１５に設定する。
【００９４】
なお、送信系制御回路４２から振幅調整デコーダ４４に出力される信号は、算出した送信振幅値に対応する複数ビット（例えば４ビット）のコードである。コードの値は振幅の調整範囲に対応して「１１１１」から「００１１」までの値をとり、「１１１１」は送信回路１５が出力可能な最大の振幅値（８００ｍＶ）に対応する。つまり、このコードは、送信振幅値情報に対応する。
【００９５】
なお、受信状態情報ＲＣＣに含まれる受信振幅値は、上記したように、検出した振幅値に対応するコードであり、所定の範囲の数値を示す。例えば、３ビットのコード「１００」は、受信振幅値が「２５０〜３００ｍＶ」の範囲であることを示す。言い換えれば、受信回路２３の振幅検出器２３ｂは、「２５０〜３００ｍＶ」の範囲の振幅値に対して、３ビットのコード「１００」を出力する。このため、送信系制御回路４２は、コードに対応する範囲の最小値を用いて上記の送信振幅値ＴＡ２を算出する。なお、上記の処理では、算出結果が下回らない段階的な値を設定する送信振幅値として採用するようにした。これに対し、算出結果に近い段階的な値を採用するようにしてもよい。
【００９６】
なお、送信系制御回路４２は、受信状態情報に含まれるコードをそのまま用いて送信振幅値ＴＡ２を算出するようにしてもよい。例えば、設定可能な送信振幅値の最大値を「１１１１」、基準値Ｒｒｆを「００１１」、受信振幅値ＲＡ１を「０１０１」とする。この場合、上記の演算結果は、「１００１」となる。送信系制御回路４２は、この演算結果（送信振幅値）を、図３に示す振幅調整デコーダ４４を介して送信回路１５に設定する。
【００９７】
上記の算出した送信振幅値（５５０ｍＶ）に対応する４ビットのコードは、「１０１０」（バイナリコード）である。送信系制御回路４２は、このコードを振幅調整デコーダ４４に出力する。振幅調整デコーダ４４は、送信系制御回路４２から供給されるコードをデコードして振幅制御信号ＣＡ１を生成し、その振幅制御信号ＣＡ１を送信回路１５に出力する。これにより、算出した送信振幅値の送信信号が送信回路１５から送信される。また、送信系制御回路４２は、送信振幅値を変更することにより、送信回路１５から送信される信号の振幅を変更する。
【００９８】
ただし、最小の送信振幅値で送信回路１５が送信した信号を受信回路２３が受信した場合、送信系制御回路４２は、送信振幅値を変更しない。また、最大の送信振幅値で送信回路１５が送信した信号を受信回路２３が受信した場合、送信系制御回路４２は、送信振幅値を変更しない。
【００９９】
次に、ステップ７４において、送信系制御回路４２は、送信回路１５から、送信状態情報を設定された送信振幅（＝５５０ｍＶ）で送信させる。また、この送信状態情報の振幅は、送信振幅値に対応する。次に、ステップ７５において、受信回路１３は、第２のノード２０の受信回路２３における受信状態を示す受信状態情報を受信する。この受信状態情報は、ステップ７４において送信回路１５から送信した送信状態情報を受信した際に検出した受信振幅値を含む。
【０１００】
次に、ステップ７６において、送信系制御回路４２は、受信状態情報に基づいて、送信回路１５に設定した送信振幅値の信号を受信回路２３が受信可能か否かを判定する。
送信系制御回路４２は、受信可能と判定した場合（ＹＥＳ）、ステップ７７に移行する。
【０１０１】
ステップ７７において、送信系制御回路４２は、受信状態情報に基づいて、第２のノード２０の受信回路２３のイコライザ２３ａがオフ状態か否かを判定する。すなわち、送信系制御回路４２は、受信回路２３の受信機能を低下することができるか否かを判定する。イコライザ２３ａがオフ状態の場合（ＹＥＳ）、受信機能をこれ以上低下させることができないため、送信系制御回路４２は、最適化処理を終了する。
【０１０２】
ステップ７６において、送信系制御回路４２は受信不可能と判定した場合（ＮＯ）、ステップ７８に移行する。ステップ７８において、送信系制御回路４２は、送信回路１５の送信振幅値が最大値と等しくないか否かを判定する。送信回路１５の送信振幅値が最大値と等しくない場合（ＹＥＳ）、ステップ７９に移行する。ステップ７９において、送信系制御回路４２は、送信回路１５の送信振幅値を現在の設定値より調整ステップだけ大きくする。上記したように、送信系制御回路４２は、送信振幅値に対応する４ビットのコードを振幅調整デコーダ４４に出力し、その振幅調整デコーダ４４は、入力信号をデコードして振幅制御信号ＣＡ１を生成する。従って、調整ステップは、コードのＬＳＢを変化させる値、即ち「１」に対応する。そして、送信系制御回路４２は、振幅調整デコーダ４４に出力するコードに「１」を加算し、加算結果のコードを振幅調整デコーダ４４に出力する。これにより、送信系制御回路４２は、送信回路１５の振幅を大きくする。そして、送信系制御回路４２は、ステップ７４に移行する。
【０１０３】
上記ステップ７７において、送信系制御回路４２は、第２のノード２０の受信回路２３のイコライザ２３ａがオフ状態ではないと判定した場合（ＮＯ）、図１２に示すステップ８０に移行する。
【０１０４】
ステップ８０において、送信系制御回路４２は、第２のノード２０のイコライザ２３ａをオフ状態に制御することにより、第２のノード２０の受信回路２３の受信機能を低下させる。
【０１０５】
次に、ステップ８１において、送信系制御回路４２は、送信回路１５から、送信状態情報を送信させる。このとき、送信回路１５は、送信状態情報を、図１１に示すステップ７４と同じ振幅、つまりステップ７３にて設定した送信振幅（＝５５０ｍＶ）で送信する。
【０１０６】
次に、ステップ８２において、送信系制御回路４２は、受信回路１３を介して、第２のノード２０の受信回路２３における受信状態を示す受信状態情報（受信振幅値およびイコライザ２３ａの動作状態）を受信する。
【０１０７】
次に、ステップ８３において、送信系制御回路４２は、受信状態情報に基づいて、送信回路１５から送信される信号を、受信回路２３が受信可能か否かを判定する。送信系制御回路４２は、上記のステップ８０において、受信側のノード（第２のノード２０）の受信回路２３に備えられたイコライザ２３ａをオフに制御している。従って、送信系制御回路４２は、受信回路２３が受信可能と判定した場合（ＹＥＳ）、受信機能をこれ以上低下させることができないため、最適化処理を終了する。
【０１０８】
上記のステップ８３において、送信系制御回路４２は、受信回路２３が受信不可能と判定した場合（ＮＯ）、ステップ８４に移行する。ステップ８４において、送信系制御回路４２は、第２のノード２０のイコライザ２３ａをオン状態に制御する。即ち、送信系制御回路４２は、第２のノード２０の受信回路２３を、図１１に示すステップ７７において、送信回路１５から送信された信号を受信可能だった状態に戻す。そして、送信系制御回路４２は、最適化処理を終了する。
【０１０９】
図１１に示すステップ７８において、送信回路１５の送信振幅値が最大の場合（ＮＯ）、送信系制御回路４２は、図１３に示すステップ８５に移行する。
ステップ８５において、送信系制御回路４２は、第２のノード２０のイコライザ２３ａがオフ状態であるか否かを判定する。送信系制御回路４２は、イコライザ２３ａがオン状態の場合（ＮＯ）、受信機能を向上することができないため接続不可と判定し、通信を停止する。
【０１１０】
ステップ８５において、送信系制御回路４２は、イコライザ２３ａがオフ状態の場合（ＹＥＳ）、ステップ８６に移行する。
ステップ８６において、送信系制御回路４２は、第２のノード２０のイコライザ２３ａをオン状態に制御する。すなわち、送信系制御回路４２は、受信回路２３の受信機能を向上させる。次に、ステップ８７において、送信系制御回路４２は、送信回路１５から、図１２に示すステップ８１における処理と同様に、送信状態情報を、図１１に示すステップ７４と同じ振幅、つまりステップ７３にて設定した送信振幅（＝５５０ｍＶ）で送信する。次に、ステップ８８において、送信系制御回路４２は、受信回路１３を介して、第２のノード２０の受信回路２３における受信状態を示す受信状態情報（受信振幅値およびイコライザ２３ａの動作状態）を受信する。
【０１１１】
次に、ステップ８９において、送信系制御回路４２は、受信状態情報に基づいて、送信回路１５から送信される信号を、受信回路２３が受信可能か否かを判定する。送信系制御回路４２は、受信回路２３が受信可能と判定した場合（ＹＥＳ）、最適化処理を終了する。一方、送信系制御回路４２は、受信回路２３が受信不可能と判定した場合（ＮＯ）、受信回路２３の受信機能をこれ以上向上させることができないため、接続不可と判定し、通信を停止する。
【０１１２】
なお、以上説明した調整処理では、送信回路１５のデ・エンファシス１５ａに対する処理を省略している。デ・エンファシス１５ａのオン状態とオフ状態を制御する場合も、イコライザ２３ａのオン状態とオフ状態とを決定する処理と同様に行うことができることは、容易に理解される。
【０１１３】
以上記述したように、本実施形態によれば、以下の効果を奏する。
（１）調整回路１４ａ（送信系制御回路４２）は、第２のノード２０から送信された受信状態情報（状態コードＲＣＣ）に基づいて、送信回路１５から送信された信号が受信回路２３にて受信可能か否かを判定する。そして、調整回路１４ａは、受信回路２３が受信可能であると判定した場合、第２のノード２０の受信回路２３に備えられたイコライザ２３ａをオフ状態とするように、送信状態情報（状態コードＴＣＣ）を第２のノード２０に送信するようにした。同様に、第２のノード２０の調整回路２４ａは、第１のノード１０の受信回路１３に備えられたイコライザ１３ａをオフ状態とするように制御する。従って、各ノード１０，２０の受信回路１３，２３に備えられたイコライザ１３ａ，２３ａをオフ状態とすることができるため、受信回路１３，２３での消費電力を低減することができる。
【０１１４】
（２）各ノード１０，２０の調整回路１４ａ，２４ａは、相手のノードから受信した受信振幅値に基づいて、送信回路１５，２５の送信振幅値を設定するようにした。従って、送信回路１５，２５での消費電力を低減することができる。また、送信信号の振幅を小さくすることできるため、放射する電磁波を小さくし、電磁波ノイズを低減することができる。
【０１１５】
（３）調整回路１４ａ，２４ａは、受信回路１３，２３と送信回路１５，２５の調整のための信号（送信状態情報、受信状態情報）を、送信回路１５，２５から送信させるようにした。従って、調整のための情報を送受信するための伝送路（ケーブル等）を新たに設ける必要がなく、従来と同様のケーブルを用いて両ノード１０，２０を互いに接続することができる。また、従来と同様のケーブルを用いることができるため、回路の追加が少なく、回路規模の増大を抑制することができる。
【０１１６】
（４）各ノード１０，２０は、通信環境設定のステートＳＴ３において、互いの通信速度に応じた情報（スピードコード）を含む送信信号をそれぞれ送信し、互いの通信速度を一致させる。そして、調整回路１４ａ，２４ａは、ステートＳＴ３において、各ノード１０，２０の送信回路及び受信回路の動作条件の設定するようにした。従って、ステートＳＴ３において、スピードネゴシエーションと動作条件の設定を行うため、別途ステートを設定する必要がなく、回路規模の増大を抑制することができる。
【０１１７】
（５）各ノード１０，２０は、周期的に送信するトーン信号ＴＮに基づく１つの連続した期間に、スピードコードＴＳＣと状態コードＴＣＣ，ＲＣＣを送信するようにした。従って、ステートＳＴ３の処理に要する時間の長期化を防ぐことができる。そして、両ノード１０，２０を互いに接続してから通信可能となるまでに要する時間の長期化を防ぐことができる。
【０１１８】
（第二実施形態）
次に、第二実施形態を説明する。なお、上記した実施形態と同じ部材等については同じ符号を付し、説明の全て又は一部を省略する。
【０１１９】
本実施形態において、ネットワークの構成、各機器の構成は、第一実施形態と同じである。
この実施形態において、各ノード１０，２０の調整回路１４ａ，２４ａは、環境設定を行う前、例えば、図４に示す第３のステートＳＴ３に遷移したとき、又はそれ以前に、受信回路１３，２３のイコライザ１３ａ，２３ａを、それぞれオン状態に制御する。
【０１２０】
図１４に示すように、ステップ９１において、図２に示す第１のノード１０の送信系制御回路４２は、送信回路１５から、送信状態情報（状態コードＴＣＣ）を送信させる。第２のノード２０は、第１のノード１０の送信回路１５から送信される信号を受信回路２３にて受け、その受信結果に応じた受信状態情報を、送信回路２５から送信させる。
【０１２１】
次に、ステップ９２において、送信系制御回路４２は、受信回路１３を介して、第２のノード２０の受信回路２３における受信状態を示す受信状態情報（受信振幅値およびイコライザ２４の動作状態）を受信する。
【０１２２】
次に、ステップ９３において、送信系制御回路４２は、図１１に示すステップ７３と同様に、式（１）に従って、送信回路１５の送信振幅値を算出する。そして、送信系制御回路４２は、算出した送信振幅値を、振幅調整デコーダ４４を介して送信回路１５に設定する。
【０１２３】
次に、ステップ９４において、送信系制御回路４２は、送信回路１５から、送信状態情報を送信させる。このとき、送信回路１５は、ステップ９３において決定した送信振幅値にて送信状態情報を送信する。
【０１２４】
次に、ステップ９５において、送信系制御回路４２は、受信回路１３を介して、第２のノード２０の受信回路２３における受信状態に応じた受信状態情報（受信振幅値およびイコライザ２４の動作状態）を受信する。
【０１２５】
次に、ステップ９６において、送信系制御回路４２は、送信回路１５から送信される信号を、受信回路２３が受信可能か否かを判定する。送信系制御回路４２は、受信回路２３が受信不可能と判定した場合（ＮＯ）、ステップ９７に移行する。
【０１２６】
ステップ９７において、送信系制御回路４２は、送信回路１５の送信振幅値が最大値と等しくないか否かを判定する。送信回路１５の送信振幅値が最大値と等しい場合（ＮＯ）、送信振幅値を上げることができない。また、受信回路２３のイコライザ２３ａもオン状態であるため、受信回路２３の受信機能を向上させることもできない。このため、送信系制御回路４２は、接続不可と判定し、通信を停止する。一方、送信系制御回路４２は、送信回路１５の送信振幅値が最大でない場合（ＹＥＳ）、ステップ９８に移行する。
【０１２７】
ステップ９８において、送信系制御回路４２は、送信回路１５の送信振幅値を現在の設定値より調整ステップだけ大きくし、ステップ９４に移行する。ステップ９６において、送信系制御回路４２は、送信回路１５から送信される信号を、受信回路２３が受信可能と判定した場合（ＹＥＳ）、ステップ９９に移行する。
【０１２８】
ステップ９９において、送信系制御回路４２は、第２のノード２０の受信回路２３のイコライザ２３ａをオフ状態に制御する。次に、ステップ１００において、送信系制御回路４２は、送信回路１５から、送信状態情報を送信させる。次に、ステップ１０１において、送信系制御回路４２は、受信回路１３を介して、第２のノード２０の受信回路２３における受信状態に応じた受信状態情報（受信振幅値およびイコライザ２３ａの動作状態）を受信する。
【０１２９】
次に、ステップ１０２において、送信系制御回路４２は、受信状態情報に基づいて、送信回路１５から送信される信号を、受信回路２３が受信可能か否かを判定する。送信系制御回路４２は、上記のステップ９９において、受信側のノード（第２のノード２０）の受信回路１３に備えられたイコライザ２３ａをオフに制御している。送信系制御回路４２は、受信回路２３が受信可能と判定すると、受信回路２３の受信機能をこれ以上低下させることができないため、最適化処理を終了する。
【０１３０】
上記ステップ１０２において、送信系制御回路４２は、送信回路１５から送信される信号を、受信回路２３が受信不可能と判定すると、ステップ１０３に移行する。ステップ１０３において、送信系制御回路４２は、状態コードＴＣＣを送信回路１５から送信させ、第２のノード２０の受信回路２３に備えられたイコライザ２３ａをオン状態に制御する。即ち、送信系制御回路４２は、第２のノード２０の受信回路２３を、ステップ９６において、送信回路１５から送信された信号を受信可能だった状態に戻す。そして、送信系制御回路４２は、最適化処理を終了する。
【０１３１】
以上記述したように、本実施形態によれば、第一実施形態の効果に加え、以下の効果を奏する。
（１）各ノード１０，２０の調整回路１４ａ，２４ａは、受信回路１３，２３に備えたイコライザ１３ａ，２３ａをオン状態とした後、通信環境設定の処理を実行するようにした。従って、通信環境が悪い場合でも、送信回路１５，２５から送信された信号を受信回路１３，２３が受信することができるため、確実に通信環境設定の処理を実行することができる。
【０１３２】
（２）各調整回路１４ａ，２４ａは、イコライザ１３ａ，２３ａがオン状態から通信環境設定処理を実行する。従って、イコライザ１３ａ，２３ａの状態を確認する処理が不要であるため、処理時間を短縮することができる。そして、両ノード１０，２０を互いに接続してから通信可能となるまでに要する時間を短縮することができる。
【０１３３】
（第三実施形態）
次に、第三実施形態を、説明する。なお、上記した実施形態と同じ部材等については同じ符号を付し、説明の全て又は一部を省略する。
【０１３４】
本実施形態において、ネットワークの構成、各機器の構成は、第一実施形態と同じである。
この実施形態において、各ノード１０，２０の調整回路１４ａ，２４ａは、受信回路１３，２３の調整と、送信回路１５，２５の調整を別々の処理として実行する。例えば、各ノード１０，２０の調整回路１４ａ，２４ａは、先ず、イコライザ１３ａ，２３ａの設定処理を行い、送信回路１５，２５の振幅調整処理を行う。なお、イコライザ１３ａ，２３ａの設定処理と、送信回路１５，２５の振幅調整処理は、互いに異なるステートで実行されてもよい。
【０１３５】
先ず、第２のノード２０の受信回路２３を調整する。
即ち、第１のノード１０の調整回路１４ａは、自ノードの送信回路１５に、例えば最大振幅の送信信号を送信させる。第２のノード２０の受信回路２３は、その信号の振幅を振幅検出器２３ｂにて検出し、検出結果の振幅値を含む受信状態情報（状態コードＲＣＣ）を送信する。
【０１３６】
状態コードＲＣＣを受信した調整回路１４ａは、状態コードＲＣＣに含まれる受信振幅値に基づいて、相手ノード（第２のノード２０）のイコライザ２３ａのオン・オフを制御する。例えば、第２のノード２０は、所定の動作条件（例えば、上記した最大振幅）の送信信号を、イコライザ２３ａをオン制御して受信した受信結果と、イコライザ２３ａをオフ制御して受信した受信結果を、それぞれ送信する。
【０１３７】
第１のノード１０の調整回路１４ａは、２つの受信結果に基づいて、第２のノード２０のイコライザ２３ａを制御する。例えば、２つの受信結果に含まれる受信振幅値の差を算出する。この２つの受信振幅値の差は、イコライザ２３ａの動作状態に対応する。例えば、イコライザ２３ａがオン状態で受信した信号の振幅値と、イコライザ２３ａがオフ状態で受信した信号の振幅値の差は、伝送路３０における損失に対応する。従って、調整回路１４ａは、伝送路３０の損失により、イコライザ２３ａのオン状態とオフ状態とを決定する。そして、調整回路１４ａは、決定したイコライザ２３ａの状態とするように、送信回路１５を介して第２のノード２０に送信状態情報（状態コードＴＣＣ）を送信する。第２のノード２０の調整回路２４ａは、受信した送信状態情報に応答してイコライザ２３ａをオン状態又はオフ状態に制御する。
【０１３８】
次に、第１のノード１０の受信回路１３を調整する。
即ち、第２のノード２０の調整回路２４ａは、自ノードの送信回路２５に、例えば最大振幅の送信信号を送信させる。第１のノード１０の受信回路１３は、その信号の振幅を振幅検出器１３ｂにて検出し、検出結果の振幅値を含む受信状態情報（状態コードＲＣＣ）を送信する。状態コードＴＣＣを受信した調整回路２４ａは、受信結果に基づいて、イコライザ１３ａのオン状態とオフ状態とを決定する。そして、そして、調整回路２４ａは、決定したイコライザ１３ａの状態とするように、送信回路２５を介して第１のノード１０に送信状態情報（状態コードＴＣＣ）を送信する。第１のノード１０の調整回路１４ａは、受信した送信状態情報に応答してイコライザ１３ａをオン状態又はオフ状態に制御する。
【０１３９】
次に、各ノード１０，２０は、送信回路１５，２５の送信振幅値を調整する。
図１５に示すように、ステップ１１１において、第１のノード１０の送信系制御回路４２は、送信回路１５から、送信状態情報（状態コードＴＣＣ）を送信させる。第２のノード２０は、第１のノード１０の送信回路１５から送信される信号を受信回路２３にて受け、その受信結果に応じた受信状態情報を、送信回路２５から送信させる。
【０１４０】
次に、ステップ１１２において、送信系制御回路４２は、受信回路１３を介して、第２のノード２０の受信回路２３における受信状態に応じた受信状態情報（受信振幅値）を受信する。
【０１４１】
次に、ステップ１１３において、送信系制御回路４２は、式（１）に従って、送信回路１５の送信振幅値を算出する。そして、送信系制御回路４２は、算出した送信振幅値を、振幅調整デコーダ４４を介して送信回路１５に設定する。次に、ステップ１１４において、送信系制御回路４２は、送信回路１５から、送信状態情報を送信させる。このとき、送信回路１５は、ステップ１１３において決定した送信振幅値にて送信状態情報を送信する。
【０１４２】
次に、ステップ１１５において、送信系制御回路４２は、受信回路１３を介して、第２のノード２０の受信回路２３における受信状態に応じた受信状態情報（受信振幅値）を受信する。次に、ステップ１１６において、送信系制御回路４２は、送信回路１５から送信される信号を、受信回路２３が受信可能か否かを判定する。送信系制御回路４２は、受信回路２３が受信可能と判定した場合（ＹＥＳ）、最適化処理を終了する。一方、送信系制御回路４２は、受信回路２３が受信不可能と判定した場合（ＮＯ）、ステップ１１７に移行する。
【０１４３】
ステップ１１７において、送信系制御回路４２は、送信回路１５の送信振幅値が最大値と等しいか否かを判定する。送信回路１５の送信振幅値が最大値と等しい場合（ＮＯ）、送信振幅値を上げることができない。また、受信回路２３のイコライザ２３ａもオン状態であるため、受信回路２３の受信機能を向上させることもできない。このため、送信系制御回路４２は、接続不可と判定し、通信を停止する。一方、送信系制御回路４２は、送信回路１５の送信振幅値が最大でない場合（ＹＥＳ）、ステップ１１８に移行する。ステップ１１８において、送信系制御回路４２は、送信回路１５の送信振幅値を現在の設定値より調整ステップだけ大きくし、ステップ１１４に移行する。
【０１４４】
以上記述したように、本実施形態によれば、第一実施形態の効果に加え、以下の効果を奏する。
（１）各ノード１０，２０の調整回路１４ａ，２４ａは、イコライザ１３ａ，２３ａの設定と、送信回路１５，２５の送信振幅値の調整を別々に行うようにした。従って、それぞれの調整を任意のタイミングで実行することができる。
【０１４５】
（第四実施形態）
以下、第四実施形態を説明する。なお、上記した実施形態と同じ部材等については同じ符号を付し、説明の全て又は一部を省略する。
【０１４６】
本実施形態において、ネットワークの構成、各機器の構成は、第一実施形態と同じである。
図２に示すノード１０，２０は、図１６に示すステップ１２１〜１３０に従って、回路の最適化を行う。
【０１４７】
ステップ１２１〜ステップ１２６において、図３に示す送信系制御回路４２は、図５におけるステップ５１〜５６とそれぞれ同じ処理を実行する。
ステップ１２６において、送信系制御回路４２は、自ノードが先と判定した場合、ステップ１２７の処理を行った後、ステップ１２８の処理を行う。このとき、第２のノード２０の調整回路２４ａは、相手ノードが先と判定し、ステップ１２９の処理を行った後、ステップ１３０の処理を行う。
【０１４８】
ステップ１２７において、第１のノード１０の送信系制御回路４２は、図７に示すステップ５７と同様の処理を行い、送信回路１５を最適化する。このとき、相手ノード、即ち第２のノード２０の調整回路２４ａ（詳しくは受信系制御回路４５）は、受信回路２３を最適化する。次に、ステップ１２８において、第２のノード２０における受信系制御回路４５は、受信回路１３の状態（例えば、イコライザ１３ａの動作状態）を第２のノード２０における受信回路２３の状態と同一にし、最適化処理を終了する。第２のノード２０は、第１のノード１０から送信される送信状態情報（状態コードＴＣＣ）に基づいて、自ノードの送信回路２５の送信振幅値とデ・エンファシス２５ａの動作を設定し、最適化処理を終了する。
【０１４９】
また、ステップ１２９において、送信回路２５から受信回路１３へのパスを最適化する。即ち、第２のノード２０は送信回路２５を最適化し、第１のノード１０は受信回路１３を最適化する。その後、ステップ１３０に移行する。ステップ１３０において、第１のノード１０における送信系制御回路４２は、送信回路１５の状態（例えば、送信回路１５の送信振幅値、デ・エンファシス１５ａのオン・オフ）を第２のノード２０における受信回路２３の状態と同一にする。最適化処理を終了する。第２のノード２０は、第１のノード１０に対する設定（例えば、イコライザ１３ａの動作状態）を、自ノードの受信回路２３に対して設定する。
【０１５０】
図２に示すように、第１のノード１０と第２のノード２０は、伝送路３０を介して互いに接続されている。第１のノード１０から送信された信号は、伝送路３０により第２のノード２０に伝達される。第２のノード２０から送信された信号は、伝送路３０により第１のノード１０に伝達される。従って、両ノード１０，２０から送信された信号は、それぞれ伝送路３０という共通の伝送環境を経て、相手のノード２０，１０に伝達される。このため、第１のノード１０の送信信号に対する第２のノード２０の受信信号における損失は、第２のノード２０の送信信号に対する第１のノード１０の受信信号における損失と等しい。これは、伝送路３０に含まれるケーブル・コネクタ・基板などは一対で相手ノードと繋がるため、回路の特性が相互で大きく異ならない限り、似たような特性となるからである。従って、先に行ったパスにおける最適化の結果を用いて次のパスの最適化を行うことにより、最適化の処理に要する時間を短くすることができる。
【０１５１】
以上記述したように、本実施形態によれば、第一実施形態の効果に加え、以下の効果を奏する。
（１）各ノード１０，２０の調整回路１４ａ，２４ａは、１つのパスにおける受信回路と送信回路を調整した後、それぞれの調整結果に従って次のパスにおける受信回路と送信回路を設定するようにした。従って、２つ目のパスに対する調整処理に要する時間を短縮することができる。そして、両ノード１０，２０を互いに接続してから通信可能となるまでに要する時間を短縮することができる。
【０１５２】
（第五実施形態）
以下、第五実施形態を説明する。なお、上記した実施形態と同じ部材等については同じ符号を付し、説明の全て又は一部を省略する。
【０１５３】
本実施形態において、ネットワークの構成、各機器の構成は、第一実施形態と同じである。
すなわち、図２に示すノード１０，２０は、第３のステートＳＴ３（図４参照）における処理、即ち通信環境設定を開始すると、図１７〜図２０に示すステップ１４１〜１６９の各処理を実行し、回路を最適化する。
【０１５４】
まず、図１７に示すステップ１４１において、物理ロジック部１４は、受信回路１３と送信回路１５の初期値をレジスタ４１ａに設定する。初期値は、例えば、相手ノード（ここでは第２のノード２０）の受信回路２３の状態と、自ノード（第１のノード１０）の送信回路１５の状態を示す状態フラグＦＬと、３つの制御フラグＥＱＵＰ，ＤＥＵＰ，ＡＭＰＵＰを含む。状態フラグＦＬは例えば５ビットのデータであり、各制御フラグＥＱＵＰ，ＤＥＵＰ，ＡＭＰＵＰは例えば１ビットのデータである。
【０１５５】
状態フラグＦＬの最上位ビット（ＭＳＢ）は、第２のノード２０のイコライザ２３ａの動作状態を示す。状態フラグＦＬの第２ビットは、第１のノード１０の送信回路１５に含まれるデ・エンファシス１５ａの動作状態を示す。状態フラグＦＬの第３ビットから最下位ビット（ＬＳＢであり第５ビット）は、第１のノード１０の送信回路１５の送信振幅値を示す。
【０１５６】
例えば、状態フラグＦＬの初期値を「１１１１１」とする。すなわち、初期状態において、イコライザ：オン、デ・エンファシス：オン、送信回路１５の送信振幅値を最大値（８００ｍＶ）となる。つまり、各ノード１０，２０の調整回路１４ａ，２４ａは、初期値設定の処理において、受信回路１３，２３のイコライザ１３ａ，２３ａと、送信回路１５，２５のデ・エンファシス１５ａ，２５ａをそれぞれオン状態に制御する。また、各ノード１０，２０の調整回路１４ａ，２４ａは、初期値設定の処理において、送信回路１５，２５の送信振幅値を最大値に、それぞれ設定する。
【０１５７】
制御フラグＥＱＵＰは、各ノード１０，２０において、それぞれの受信系制御回路４５により「１」または「０」がセットされる。制御フラグＤＥＵＰと制御フラグＡＭＰＵＰは、各ノード１０，２０において、それぞれの送信系制御回路４２により「１」または「０」がセットされる。
【０１５８】
各制御フラグＥＱＵＰ，ＤＥＵＰ，ＡＭＰＵＰは、初期値として「０」がセットされる。そして、制御フラグＥＱＵＰは、イコライザ２３ａがオンされたときに「１」がセットされる。制御フラグＤＥＵＰは、デ・エンファシス１５ａがオンされたときに「１」がセットされる。制御フラグＡＭＰＵＰは、送信回路１５の送信振幅値を現在値よりも大きくしたときに「１」がセットされる。これらの制御フラグＥＱＵＰ，ＤＥＵＰ，ＡＭＰＵＰは、最適化処理が無限ループに陥るのを防ぐために設けられている。
【０１５９】
次に、ステップ１４２において、送信回路１５は、送信状態情報（状態コードＴＣＣ）を送信する。
次に、ステップ１４３において、受信回路１３は、第２のノード２０の受信回路２３における受信状態を示す受信状態情報（受信振幅値およびイコライザ２３ａの動作状態）を受信する。
【０１６０】
次に、ステップ１４４において、送信系制御回路４２は、送信回路１５から送信される信号を、受信回路２３が受信可能か否かを判定する。送信系制御回路４２は、受信回路２３が受信可能と判定した場合（ＹＥＳ）、ステップ１４５に移行し、受信回路２３が受信不可能と判定した場合（ＮＯ）、ステップ１４６に移行する。
【０１６１】
ステップ１４５において、送信系制御回路４２は、レジスタ４１ａ内に記憶された状態フラグＦＬが「０００００」であるか否かを判定する。「０００００」の状態フラグＦＬは、イコライザ１３ａがオフ状態、デ・エンファシス１５ａがオフ状態、かつ送信回路１５の送信振幅値が最小値を示す。「０００００」の状態フラグＦＬは、受信回路１３の受信機能及び送信回路１５の送信機能を低下させることができないことを示す。このため、送信系制御回路４２は、最適化処理を終了する。
【０１６２】
ステップ１４５において、第１のノード１０における状態フラグＦＬが「０００００」以外の場合（ＮＯ）、送信系制御回路４２は、図１８に示すステップ１４７に移行する。
ステップ１４７において、送信系制御回路４２は、状態フラグＦＬのＭＳＢが「１」であるか否かを判定する。すなわち、第２のノード２０の受信回路２３に含まれるイコライザ２３ａがオン状態か否かを判定する。状態フラグＦＬのＭＳＢが「１」の場合（ＹＥＳ）、ステップ１４８に移行する。
【０１６３】
ステップ１４８において、送信系制御回路４２は、制御フラグＥＱＵＰが「０」であるか否かを判定する。すなわち、イコライザ２３ａをオフ状態からオン状態にしたことがあるか否かを判定する。制御フラグＥＱＵＰが「０」の場合（ＹＥＳ）、ステップ１４９に移行する。
【０１６４】
ステップ１４９において、送信系制御回路４２は、フラグ制御回路４１を介して、状態フラグＦＬのＭＳＢを「０」に設定する。次に、ステップ１５０において、送信系制御回路４２は、第２のノード２０の受信回路２３に含まれるイコライザ２３ａをオフ状態に制御する。そして、送信系制御回路４２は、図１７に示すステップ１４２に移行する。
【０１６５】
上記ステップ１４６において、送信系制御回路４２は、状態フラグＦＬのＭＳＢが「０」の場合（ＮＯ）、ステップ１５１に移行する。
また、ステップ１４８において、送信系制御回路４２は、制御フラグＥＱＵＰが１の場合（ＮＯ）、ステップ１５１に移行する。
【０１６６】
ステップ１５１において、送信系制御回路４２は、状態フラグＦＬの第２ビットが「１」であるか否かを判定する。すなわち、デ・エンファシス１５ａがオン状態か否かを判定する。状態フラグＦＬの第２ビットが「１」の場合（ＹＥＳ）、ステップ１５２に移行する。
【０１６７】
ステップ１５２において、送信系制御回路４２は、制御フラグＤＥＵＰが０か否かを判定する。すなわち、デ・エンファシス１５ａをオフ状態からオン状態にしたことがあるか否かを判定する。制御フラグＤＥＵＰが「０」の場合（ＹＥＳ）、ステップ１５３に移行する。
【０１６８】
ステップ１５３において、送信系制御回路４２は、フラグ制御回路４１を介して、状態フラグＦＬの第２ビットを「０」に設定する。次に、送信系制御回路４２は、デ・エンファシス１５ａをオフ状態に設定する。そして、送信系制御回路４２は、図１７に示すステップ１４２に移行する。
【０１６９】
上記ステップ１５１において、送信系制御回路４２は、状態フラグＦＬの第２ビットが「０」の場合（ＮＯ）、ステップ１５５に移行する。また、ステップ１５２において、制御フラグＤＥＵＰが「１」の場合（ＮＯ）、ステップ１５５に移行する。
【０１７０】
ステップ１５５において、送信系制御回路４２は、制御フラグＡＭＰＵＰが０か否かを判定する。すなわち、送信回路１５の送信振幅値を上げたことがあるか否かを判定する。制御フラグＡＭＰＵＰが「１」の場合（ＮＯ）、最適化処理を終了する。一方、制御フラグＡＭＰＵＰが「０」の場合（ＹＥＳ）、ステップ１５６に移行する。
【０１７１】
ステップ１５６において、送信系制御回路４２は、フラグ制御回路４１を介して、状態フラグＦＬの第３ビット〜ＬＳＢビットから「１」を減算する。次に、ステップ１５７において、送信系制御回路４２は、送信回路１５の送信振幅値を下げる、即ち現在値よりも小さくする。そして、送信系制御回路４２は、図１７に示すステップ１４２に移行する。
【０１７２】
図１７に示すステップ１４４において、送信系制御回路４２は、送信回路１５から送信された信号を、受信回路１３が受信できないと判定した場合（ＮＯ）、ステップ１４６に移行する。
【０１７３】
ステップ１４６において、送信系制御回路４２は、状態フラグＦＬが「１１１１１」であるか否かを判定する。すなわち、送受信機能を上げることができないか否かを判定する。状態フラグＦＬが「１１１１１」でない場合（ＮＯ）、図１９に示すステップ１５８に移行する。
【０１７４】
ステップ１５８において、送信系制御回路４２は、状態フラグＦＬの下位３ビットは、「１１１」以外か否かを判定する。すなわち、送信回路１５の送信振幅値は最大値以外か否かを判定する。状態フラグＦＬの下位３ビットが「１１１」以外の場合（ＹＥＳ）、ステップ１５９に移行する。
【０１７５】
ステップ１５９において、送信系制御回路４２は、フラグ制御回路４１を介して、制御フラグＡＭＰＵＰを「１」にして、状態フラグＦＬの下位３ビットに「１」を加算する。次に、ステップ１６０において、送信系制御回路４２は、送信回路１５の送信振幅値を上げる、即ち現在値よりも大きくする。そして、送信系制御回路４２は、図１７に示すステップ１４２に移行する。
【０１７６】
図１９に示すステップ１５８において、送信系制御回路４２は、状態フラグＦＬの下位３ビットが「１１１」の場合（ＮＯ）、ステップ１６１に移行する。
ステップ１６１において、送信系制御回路４２は、状態フラグＦＬの第２ビットが「１」以外か否かを判定する。すなわち、デ・エンファシス１５ａがオフ状態か否かを判定する。デ・エンファシス１５ａがオフ状態の場合（ＹＥＳ）、送信系制御回路４２は、ステップ１６２に移行する。
【０１７７】
ステップ１６２において、送信系制御回路４２は、フラグ制御回路４１を介して、制御フラグＤＥＵＰを「１」に設定し、状態フラグＦＬの第２ビットを「１」に設定する。次に、ステップ１６３において、送信系制御回路４２は、デ・エンファシス１５ａをオン状態に設定する。そして、送信系制御回路４２は、図１７に示すステップ１４２に移行する。
【０１７８】
上記ステップ１６１において、送信系制御回路４２は、状態フラグＦＬの第２ビットが「１」の場合（ＮＯ）、ステップ１６４に移行する。
ステップ１６４において、送信系制御回路４２は、状態フラグＦＬのＭＳＢが「１」以外か否かを判定する。すなわち、イコライザ２３ａがオフ状態か否かを判定する。状態フラグＦＬのＭＳＢが「１」以外の場合（ＹＥＳ）、ステップ１６５に移行する。
【０１７９】
ステップ１６５において、送信系制御回路４２は、フラグ制御回路４１を介して、制御フラグＥＱＵＰを「１」、状態フラグＦＬのＭＳＢを「１」に設定する。次に、ステップ１６６において、送信系制御回路４２は、第２のノード２０の受信回路２３に含まれるイコライザ２３ａをオン状態に設定する。そして、送信系制御回路４２は、図１７に示すステップ１４２に移行する。
【０１８０】
図１７に示すステップ１４６において、送信系制御回路４２は、状態フラグＦＬが「１１１１１」の場合（ＹＥＳ）、図２０に示すステップ１６８に移行する。
また、図１９に示すステップ１６５において、送信系制御回路４２は、状態フラグＦＬのＭＳＢが「１」の場合、図２０に示すステップ１６８に移行する。
【０１８１】
ステップ１６８において、送信系制御回路４２は、接続速度は最低速度か否かを判定する。接続速度が最低速度の場合は、接続不可と判定し、通信を停止する。一方、接続速度が最低速度でない場合は、ステップ１６８に移行する。
【０１８２】
ステップ１６８において、送信系制御回路４２は、接続速度を下げて、再度スピードネゴシエーションを行う。即ち、送信系制御回路４２は、相手ノード（本実施形態では第２のノード２０）との間で調停した通信速度を低くするように速度コード（スピードコードＴＳＣ）を設定し、そのスピードコードＴＳＣと状態コードＴＣＣを、相手ノードに対して送信回路２５に送信させる。
【０１８３】
以上記述したように、本実施形態によれば、第一実施形態の効果に加え、以下の効果を奏する。
（１）各ノード１０，２０の調整回路１４ａ，２４ａは、送信回路１５，２５から送信する送信信号の振幅を徐々に変更するようにした。従って、送信回路１５，２５の送信振幅値を調整することができ、消費電力を低減することができる。
【０１８４】
尚、上記各実施形態は、以下の態様で実施してもよい。
・上記各実施形態における基準値を適宜設定してもよい。例えば、受信回路１３，２３の構成に応じて、規格に設定された最低受信振幅値（２００ｍＶ）よりも低い値（例えば、１００ｍＶ）に設定してもよい。
【０１８５】
・最適化する回路のパラメータの優先順位は、回路や目的に応じて変更してもよい。例えば、自己の電磁はノイズを低減したい場合は、受信回路のイコライザを動作させておき、送信回路の送信振幅値を優先的に下げる。高機能・デジタル式など、イコライザの消費電力が送信回路よりも大きい場合はイコライザを優先的に停止させる。
【０１８６】
・上記各実施形態では、図４に示す速度調停（スピードネゴシエーション）を行うステートＳＴ３において、各ノード１０，２０に備えられた受信回路１３，２３と送信回路１５，２５を最適化する調整処理を行った。この調整処理を、速度調停と異なるステートにおいて実行するようにしてもよい。なお、調整処理を行うステートは、速度調停を行うステートの前、または速度調停を行うステートの後に行うようにしてもよい。また、同期化のステートＳＴ４の後に、１回又は複数回行うようにしてもよい。
【０１８７】
・上記各実施形態では、受信回路１３，２３及び送信回路１５，２５の最適化を行うようにした。これに対し、受信回路１３，２３の最適化と、送信回路１５，２５の最適化を互いに異なるステートにおいて実行するようにしてもよい。また、送信回路１５，２５の最適化を省略してもよい。
【０１８８】
・上記各実施形態において、処理の順序を適宜変更してもよい。例えば、図１１〜図１３に示す処理において、イコライザ２３ａの状態を確認してイコライザ２３ａがオン状態であればオフ状態に制御した後、送信回路１５の送信振幅値を変更するようにしてもよい。このように、処理を行うことで、各受信回路１３，２３のイコライザ１３ａ，２３ａを優先的にオフに制御することができ、受信回路１３，２３にて消費する電力を低減することができる。
【０１８９】
・第五実施形態において、送信信号の振幅を変更するステップを可変するようにしてもよい。例えば、初期段階において、１００ｍＶのステップで変更し、受信振幅値に応じて、変更幅を小さくする（例えば、５０ｍＶで変更する）ようにする。
【０１９０】
・第五実施形態において、送信信号の振幅値を変更するステップを受信振幅値に応じて変更するようにしてもよい。例えば、最大振幅で送信した送信信号に対する受信振幅値が所定値（例えば、４００ｍＶ以上）の場合、送信振幅値を変更するステップを１００ｍＶとし、受信振幅値が所定値より小さい場合に送信振幅値を変更するステップを最小値（例えば５０ｍＶ）とする。このようにすると、受信状態が良い環境では送信振幅値の変更ステップを大きくするため、振幅値を調整する回数が少なくなり、短時間で送信信号の振幅を調整することができる。
【０１９１】
・上記第一実施形態のステップ８３（図１２参照）において受信不可能と判定した場合、送信系制御回路４２は、ステップ８４においてイコライザ２３ａをオン状態に制御するようにした。これに対し、イコライザ２３ａをオフ状態に維持し、送信回路１５の送信振幅を変更する（この場合は送信振幅値を大きくする）ようにしてもよい。このようにすると、受信側の受信回路の消費電力を低減することができる。また、送信側の送信振幅を調整することにより、送信回路１５における消費電力を低減することができる。
【０１９２】
・上記実施形態において、送信回路１５の送信振幅値を算出する方法（図１１に示すステップ７３において用いる式（１））は一例であり、算出方法を適宜変更してもよい。例えば、送信振幅値と受信振幅値との差が、次に設定する送信振幅値と基準値との差と等しくなるように、その設定する送信振幅値を算出する。このようにしても、上記各実施形態と同様の効果を得ることができる。
【０１９３】
上記各実施形態に関し、以下の付記を開示する。
（付記１）
所定の送信条件で送信信号を送信する送信回路と、
前記送信信号を所定の受信条件で受信した受信結果と前記受信条件とを受信する受信回路と、
前記受信結果と前記受信条件とに基づいて、前記受信条件を調整するための情報を、前記送信回路に送信させる調整回路と、
を有する通信装置。
（付記２）
前記送信信号を前記所定の受信条件で受信する受信側の受信回路は、受信した信号の所定帯域に含まれる信号を増幅する増幅回路を含み、
前記調整回路は、前記受信条件を調整するための情報に、前記増幅回路を制御するための情報を含める、
ことを特徴とする付記１記載の通信装置。
（付記３）
前記送信回路は、前記送信条件に応じた振幅で前記送信信号を送信し、
前記受信回路が受信した受信結果には、前記所定条件で受信した信号の受信振幅が含まれ、
前記調整回路は、前記受信振幅と、前記送信信号の振幅に基づいて、前記振幅を調整する、
ことを特徴とする付記１又は２に記載の通信装置。
（付記４）
前記調整回路は、前記送信回路に設定されている第１の振幅値と、前記受信振幅値と、基準値とに基づいて第２の振幅値を算出し、前記第２の振幅値を前記送信回路に設定する、
ことを特徴とする付記３記載の通信装置。
（付記５）
前記調整回路は、前記受信振幅値を前記基準値と等しくするように、前記第２の振幅値を算出する、ことを特徴とする付記４記載の通信装置。
（付記６）
前記送信回路は、送信する信号の波形を整形する波形整形回路を含み、
前記調整回路は、前記受信結果に応じて、前記波形整形回路の動作状態を制御する、
ことを特徴とする付記１〜５のうちの何れか一に記載の通信装置。
（付記７）
前記調整回路は、受信側の通信装置と送信側の通信装置とが通信する速度を互いに設定するための速度コードを送信するステートの間に、前記送信信号及び前記受信条件を調整するための情報を送信する、ことを特徴とする付記１〜６のうちの何れか一に記載の通信装置。
（付記８）
前記送信回路は、所定の周期でトーン信号を送信し、
前記調整回路は、２つの前記トーン信号の間に前記速度コードと前記調整するための情報を送信する、ことを特徴とする付記７記載の通信装置。
（付記９）
送信側から送信された送信信号を所定の受信条件で受信する受信回路と、
前記受信回路の受信結果と前記受信条件とを前記送信側に送信する送信回路と、
前記受信結果と前記受信条件とに基づいて前記送信側から送信された通知に応答して前記受信条件を調整する調整回路と、
を有する通信装置。
（付記１０）
互いに接続された第１及び第２の通信装置を含む通信システムであって、
前記第１の通信装置は、
所定の送信条件で送信信号を送信する第１の送信回路と、
前記送信信号を所定の受信条件で受信した受信結果と前記受信条件とを受信する第１の受信回路と、
前記受信結果と前記受信条件とに基づいて、前記受信条件を調整するための情報を、前記第１の送信回路に送信させる第１の調整回路と、
を備え、
前記第２の通信装置は、
送信側から送信された送信信号を所定の受信条件で受信する第２の受信回路と、
前記第２の受信回路の受信結果と前記受信条件とを前記送信側に送信する第２の送信回路と、
前記受信結果と前記受信条件とに基づいて前記送信側から送信された通知に応答して前記第２の受信回路の受信条件を調整する第２の調整回路と、
を備える、通信システム。
（付記１１）
送信回路から所定の送信条件で送信信号を送信し、
前記送信信号を所定の受信条件で受信した受信結果と前記受信条件とを受信回路にて受信し、
前記受信結果と前記受信条件とに基づいて、前記受信条件を調整するための情報を、前記送信回路に送信させる、
ことを特徴とする通信方法。
（付記１２）
所定の受信条件で動作する受信回路にて送信側から送信された送信信号を受信し、
送信回路から前記受信回路の受信結果と前記受信条件とを前記送信側に送信し、
前記受信結果と前記受信条件とに基づいて前記送信側から送信された通知に応答して前記受信条件を調整する、
ことを特徴とする通信装置の調整方法。
【符号の説明】
【０１９４】
１０，２０  ノード
３０  伝送路
１３，２３  受信回路
１３ａ，２３ａ  イコライザ
１３ｂ，２３ｂ  振幅検出器
１４，２４  物理ロジック部（ＰＨＹロジック部）
１４ａ，２４ａ  調整回路
１５，２５  送信回路
１５ａ，２５ａ  デ・エンファシス
ＴＳＣ  速度コード（スピードコード）
ＴＣＣ  状態コード（送信状態情報）
ＲＣＣ  状態コード（受信状態情報）
ＴＮ  トーン信号
ＡＣＫ  受取通知信号（アクノリッジ信号）
【図１】
0005629219.tif 000002
【図２】
0005629219.tif 000003
【図３】
0005629219.tif 000004
【図４】
0005629219.tif 000005
【図５】
0005629219.tif 000006
【図６】
0005629219.tif 000007
【図７】
0005629219.tif 000008
【図８】
0005629219.tif 000009
【図９】
0005629219.tif 000010
【図１０】
0005629219.tif 000011
【図１１】
0005629219.tif 000012
【図１２】
0005629219.tif 000013
【図１３】
0005629219.tif 000014
【図１４】
0005629219.tif 000015
【図１５】
0005629219.tif 000016
【図１６】
0005629219.tif 000017
【図１７】
0005629219.tif 000018
【図１８】
0005629219.tif 000019
【図１９】
0005629219.tif 000020
【図２０】
0005629219.tif 000021